(57)【要約】【課題】収納機能を持つ間仕切りを構成するためには、新たに部品を増やして組み立てる必要があり、コストが高くなり作業が煩雑となる。そして、一旦収納間仕切りを組立て設置した場合には、間取り変更の際に、組み立てられた収納間仕切りの解体作業が必要となるため、間取り変更を容易に行うことができなかった。【解決手段】  可動式間仕切りパネル３、５、６、８を用いた収納庫１２であって、該可動式間仕切りパネル３、５、６、８うち少なくとも一枚の可動式間仕切りパネル８に開口部８ａを設けて、該開口部８ａに扉８ｂを設け、該可動式間仕切りパネル３、５、６、８を部屋内の天井１７と床１６の間に立設して設けた。また前記可動式間仕切りパネル３、５、６、８は、突っ張り固定の自立式パネルとし、互いに側端辺を金具１０６で連結した。【選択図】図１
2006037636.tif 000002
【特許請求の範囲】
【請求項１】
部屋内の天井と床の間に立設して設けた複数の可動式間仕切りパネルを連結して収納空間を画成し、
前記可動式間仕切りパネルのうち、少なくとも一枚に開口部を形成するとともに、該開口部に扉を設けた
ことを特徴とする可動式間仕切りパネルを用いた収納庫。
【請求項２】
前記可動式間仕切りパネルは、突っ張り自立式の可動式間仕切りパネルとした、
請求項１に記載の可動式間仕切りパネルを用いた収納庫。
【請求項３】
前記可動式間仕切りパネルのうち、少なくとも一枚が、部屋と部屋とを間仕切る壁を構成する、
請求項１又は請求項２に記載の可動式間仕切りパネルを用いた収納庫。
【発明の詳細な説明】
【技術分野】
【０００１】
本発明は、可動式間仕切りパネルを用いて、収納庫を構成する技術に関する。
【背景技術】
【０００２】
従来から、部屋内に可動式間仕切りパネルを配置し、該可動式間仕切りパネルを移動または取り外すことによって、部屋の仕切り位置を自由に変化させる技術が知られている。また、特許文献１に記載の如く、このような可動式間仕切り壁に収納設備を備える技術や、特許文献２に記載の如く、組立式収納庫を間仕切りとして利用する技術も知られている。
【特許文献１】特開２００１−３４９８号公報
【特許文献２】特開平３−２３６８０６号公報
【発明の開示】
【発明が解決しようとする課題】
【０００３】
しかし、特許文献１の技術では縦枠にアジャスタを設けた上枠と下枠を取り付け、壁面パネルを前後両側より取り付けて、壁面パネルに収納設備を取り付ける構成としていたので、間仕切り壁自体を組み立てるのに手間がかかり、また、収納設備は間仕切り壁に一体的に固定されるので、分解して他の部分に付け替えることは難しい。また、引用文献２の技術は、側壁パネルにスロット等を設けて、天板やベースや背面板等を取り付けて、収納部分を構成して、上下のレールにはめ込み設置して間仕切り収納庫としているが、組立に対して面倒な作業が必要となり、分解するにも大変手間がかかる構造となっていた。このように、従来の技術では、一旦収納機能を持つ間仕切りを組立てて設置した場合には、組み立てられた収納間仕切りの解体作業が手間となり、間取り変更を容易に行うことができなかった。
そこで本発明は、組立が簡単で、間取りの変更も容易にできる間仕切りパネルを用いた収納庫を提供しようとする。
【課題を解決するための手段】
【０００４】
本発明の解決しようとする課題は以上の如くであり、次にこの課題を解決するための手段を説明する。
【０００５】
即ち、請求項１においては、部屋内の天井と床の間に立設して設けた複数の可動式間仕切りパネルを連結して収納空間を画成し、前記可動式間仕切りパネルのうち、少なくとも一枚に開口部を形成するとともに、該開口部に扉を設けたものである。
【０００６】
請求項２においては、前記可動式間仕切りパネルは、突っ張り自立式の可動式間仕切りパネルとしたものである。
【０００７】
請求項３においては、前記可動式間仕切りパネルのうち、少なくとも一枚が、部屋と部屋とを間仕切る壁を構成するものである。
【発明の効果】
【０００８】
本発明の効果として、以下に示すような効果を奏する。
【０００９】
請求項１においては、可動式間仕切りパネルのちの一枚に扉となる建具を備え、可動式間仕切りパネルを平面視四角形状等に組み立てて収納空間を画成するだけで、容易に収納庫を構成することができる。すなわち、可動式間仕切りパネルを用いて、部品点数を抑えた組立作業容易な収納庫を、自由な場所に設置することができ、部屋の間取り変更の自由度が増すのである。
【００１０】
請求項２においては、可動式間仕切りパネルの取り付け場所をさらに自由に選択することができ、また可動式間仕切りパネルの取り付け、取り外し作業もさらに容易となる。
【００１１】
請求項３においては、可動式間仕切りパネルは、収納庫の一部を構成するとともに、部屋を間仕切る壁としての機能を果たすことができる。よって、室内空間を広く有効に利用することができる。
【発明を実施するための最良の形態】
【００１２】
次に、発明の実施の形態を説明する。
図１は可動式間仕切りパネルの配設例の平面図、図２は可動式間仕切りパネルによる収納庫の斜視図、図３は可動式間仕切りパネルの側面図である。図４は可動式間仕切りパネルの正面図、図５はナットで突っ張り固定する可動式間仕切りパネルの側断面図、図６は可動式間仕切りパネル同士をＬ状に連結する状態を示す斜視図、図７は可動式間仕切りパネル同士を直線状に連結する状態を示す斜視図である。
【００１３】
まず、本発明による可動式間仕切りパネルの配設例を説明する。
図１において、住宅の適宜個所の部屋が可動式間仕切りパネル１・２・３・４・５・６・７・８・９によって第一の部屋１０と第二の部屋１１とに仕切られている。そして前記可動式間仕切りパネル１・２・３・４・５・６・７・８・９のうち、可動式間仕切りパネル３・４・５・６・７・８・９は収納庫１２・１３を形成する役割も果たしている。すなわち、可動式間仕切りパネル１・２が、第一の部屋１０と第二の部屋１１の間に配設され、第一の部屋１０と第二の部屋１１を仕切るためにのみ使用されているのに対し、可動式間仕切りパネル３・４・５・６・７・８・９は、収納庫１２・１３を形成しながら第一の部屋１０と第二の部屋１１を仕切っているのである。但し、可動式間仕切りパネル１・２を設けずに部屋内に一つまたは複数の収納庫を設ける構成であってもよい。
【００１４】
前記可動式間仕切りパネル１・２・３・４・５・６・７・８・９の位置関係について、さらに詳細に説明する。
住宅の一つの部屋内を二つの部屋に間仕切りパネルを用いて仕切る場合、両側の平行に配置される壁面１４と壁面１５との間に、該壁面１４・１５に対して直角方向に可動式間仕切りパネル１・２・３・９と、可動式間仕切りパネル４・８が床上に立設され、壁面１４と壁面１５と平行に可動式間仕切りパネル５・６・７が床上に立設される。そして、可動式間仕切りパネル３・５・６・８を平面視四角形状に組み付けることにより収納空間を画成して収納庫１２が形成され、可動式間仕切りパネル４・６・７・９を平面視四角形状に組み付けることにより収納空間を画成して収納庫１３が形成されている。
上述のように、壁面１４と壁面１５の間に可動式間仕切りパネル１・２と収納庫１２・１３の順に隣接して配置することで第一の部屋１０と第二の部屋１１とが仕切られている。但し、収納庫だけを部屋内に設ける場合には、壁面の方向と関係なく、壁面に対して斜めに向けて配置することも可能であり、好みにより部屋の隅や中央等に配置して、他の家具等との関係で任意に配置することができる。
【００１５】
可動式間仕切りパネル８・９は、扉を形成する建具８ｂ・８ｂ・９ｂを有し、収納庫１２における建具８ｂは第二の部屋１１に向けて開くように配置されており、収納庫１３における建具９ｂは第一の部屋１０に向けて開くように配置されている。すなわち収納庫１２は第二の部屋１１の収納庫として、収納庫１３は第一の部屋１０の収納庫として設置される。
【００１６】
各収納庫１２・１３は、それぞれ背板・側板・前板からなり、それぞれ可動式間仕切りパネルで構成される。以下収納庫は略同じ構成となるので、一つの収納庫１２について図２より説明する。
収納庫１２は部屋内の空間の任意位置に設置可能であり、二つの部屋に仕切るための仕切りの一部として設置することも、単なる収納庫として所望の位置に設置することも可能である。
前板となる可動式間仕切りパネル８には開口部８ａが設けられ、該開口部８ａには、扉となる建具８ｂ・８ｂが左右一側に図示しないヒンジを介して回動可能に取り付けられ、左右他側の正面の上下中間部には把手８ｃ・８ｃが設けられている。但し、一方の部屋側に面する可動式間仕切りパネル８の開口部８ａに設けられる扉は開き戸に限定するものではなく、折り畳み式であってもよく、建具の種類は限定されない。
【００１７】
なお、収納庫１３の前板となる可動式間仕切りパネル９は、開口部９ａに一枚の扉となる建具９ｂが取り付けられているが、扉の枚数は限定するものではなく、また、建具の大きさも限定するものではない。また、左右の側板に棚受を固定し、該側板に固定した左右の棚受間に棚板を横架する構成とすることもできる。
【００１８】
そして、収納庫の容量は、使用する可動式間仕切りパネルの幅方向の長さの異なるパネルに変更することで、容易に変えることができる。この場合、背板・前板の幅を同じ長さとし、左右の側板の幅も同じ長さとする。なお、高さ方向の長さは全て同じである。
【００１９】
可動式間仕切りパネル３・５・６・８は、室内床１６と室内天井１７との間に突っ張ることにより固定される自立壁パネルとしている。
可動式間仕切りパネル１を例にして、図３と図４を用いて説明する。可動式間仕切りパネル１は、方形状に形成された平板部１ａからなり、平板部１ａの上部と下部に設けられた突っ張り機構１ｂ・１ｃによって、床１６と天井１７の間に突っ張り固定される。突っ張り機構１ｂ・１ｃは、平板部１ａ上部に設けられた滑り止め部材１ｂと、下部に設けられた高さ調節部材１ｃで構成される。可動式間仕切りパネル１は、上部で滑り止め部材１ｂが天井１７に接触し、下部で高さ調節部材１ｃが床１６を押し付けることで、突っ張り固定される。
【００２０】
前記高さ調節部材１ｃは、接地部がバネ等により下方向に伸びるように付勢され伸縮可能としている。こうして、可動式間仕切りパネルを設置した状態では、高さ調節部材１ｃの伸びようとする力によって床１６からの反力によって、可動式間仕切りパネル１が上方へ付勢されて床１６と天井１７に対して突っ張り固定されているのである。可動式間仕切りパネル１を取り外す際には、可動式間仕切りパネル１を下方へ押し付けながら高さ調整部材１ｃを縮ませて、可動式間仕切りパネル１の上部の滑り止め部材１ｂを天井１７から離脱させ突っ張り固定を解除して倒すことにより、可動式間仕切りパネル１は容易に取り外すことができる。そして、このような突っ張り固定式の可動式間仕切りパネルは、パネルの取り付け位置にレール等を設ける必要がなく、自由な位置に取り付けることができる。
【００２１】
自立式パネルの組立構成の他の実施例を図５より説明する。
突っ張り固定式可動式間仕切りパネル１０１は、突っ張り機構として、平板部１０１ａの上部にバネ機構１０１ｂが設けられ、平板部の下部にナット１０１ｄ等を有する高さ調節機構１０１ｃが設けられている。
前記バネ機構１０１ｂは嵌合部１０２ａと支持杆１０２ｂと弾性部材１０２ｃからなり、間仕切りパネル１０１の上部に横設した断面視略Ｕ字状の上枠１０１ｆの水平面に挿入孔を開口して、支持杆１０２ｂの下部が上下摺動自在に挿入されている。該支持杆１０２ｂにバネ等よりなる弾性部材１０２ｃが外嵌され、該支持杆１０２ｂの上端に嵌合部１０２ａが固設されている。該嵌合部１０２ａは断面視略Ｍ字状に構成されて、前記上枠１０１ｆに上下摺動自在に嵌合され、前記弾性部材により上方へ付勢されている。
そして、間仕切りパネル１０１を取り付ける天井には、間仕切りパネル１０１と平行にレール１０３が固定され、前記嵌合部１０２ａの上部の凹部に嵌合可能としている。
【００２２】
前記高さ調節機構１０１ｃは、ナット１０１ｄと支持ボルト１０４からなり、間仕切りパネル１０１の平板部の下部に断面視略逆Ｕ状に形成した下枠１０６設け、該下枠１０６の水平面に挿入孔を開口して、該挿入孔の下面にナット１０１ｄを固設する。該ナット１０１ｄに支持ボルト１０４を螺装する。該支持ボルト１０４の下端には接地部１０４ａが回転自在に連結されて、該接地部１０４ａの下面が床に対して面で受け止められるようにしている。該接地部１０４ａの上部の支持ボルト１０４にナット１０４ｂを固設する。
【００２３】
このような構成において、間仕切りパネル１０１を天井と床の間に取り付ける場合、天井に取り付けたレール１０３に嵌合部１０２ａを嵌合して、弾性部材１０２ｃに抗して間仕切りパネル１０１を上方に持ち上げて間仕切りパネル１０１を所定の位置にセットする。この状態で前記弾性部材１０２ｃの付勢力により突っ張られて仮止めができる。そして、高さ調節機構のナット１０４ｂにスパナ等の工具を嵌め込んで回動することにより支持ボルト１０４が回転され、該支持ボルト１０４に螺合されナット１０１ｄに対して上昇させて平板部１０１ａを押し上げることで、可動式間仕切りパネルは強固に突っ張り固定される。
【００２４】
こうして、可動式間仕切りパネル１０１を立設させた状態では高さ調節機構１０１ｃの部分における可動式間仕切りパネル下部と床の間に隙間ができる。そこで、可動式間仕切りパネルの下部に幅木受を固定し、前後両側より幅木１０５を嵌合して固定するのである。こうして、可動式間仕切りパネルの下部の隙間を埋める構成としている。
【００２５】
このようにして立設される可動式間仕切りパネル１０１は、連結金具１０６を用いて隣接するパネル同士が連結される構成である。可動式間仕切りパネル１０１同士の連結構成を以下に説明する。前記連結金具１０６は、平面視Ｌ状に形成され、両端にフック部１０６ａ・１０６ｂが形成されている。そして、各可動式間仕切りパネル平板部１０１ａの、左右両側の端辺には上下方向に適宜間隔を開けて、上下方向に長い長孔状の金具挿入部１０１ｇが形成されている。
隣接する間仕切りパネル１０１・１０１同士を平面視Ｌ状に接続する場合には、図６に示したように、接続する一方の間仕切りパネル１０１の前記金具挿入部１０１ｇに、前記連結金具１０６の一端のフック１０６ａを挿入する。そして、接続する他方の可動式間仕切りパネル平板部１０１ａに形成された金具挿入部１０１ｇに、前記連結金具１０６のフック部１０６ｂを挿入し、隣接する可動式間仕切りパネル１０１同士を連結するのである。
【００２６】
なお、平面視直線上に延長するように間仕切りパネル１０１・１０１を接続する場合には、図７に示したように、平面視Ｉ状に形成され両端にフック部１０７ａ・１０７ｂが形成された接続金具１０７を使用する。まず、接続する一方の間仕切りパネル１０１の平板部１０１ａの金具挿入部１０１ｇに、前記接続金具１０７の一端のフック部１０７ａを挿入する。そして接続する他方の可動式間仕切りパネル平板部１０１ａの金具挿入部１０１ｇに、前記連結金具１０７の他端のフック部１０７ｂを挿入し、隣接する可動式間仕切りパネル１０１同士を連結するのである。
【００２７】
すなわち、収納庫１２、１３を形成する際に、パネル同士をＬ状に接続するにあたり、通常の間仕切りパネル同士の接続に使用される平面視Ｉ状の接続金具に代えて、平面視Ｌ状の接続金具を使用するだけで、パネル同士を接続することができるのである。
なお、壁際の間仕切りパネル１０１の壁への固定は、見切り材に接続金具を取り付け、その接続金具をパネルの金具挿入部１０１ｇに挿入することで行う。
【図面の簡単な説明】
【００２８】
【図１】可動式間仕切りパネルの配設例の平面図。
【図２】可動式間仕切りパネルによる収納庫の斜視図。
【図３】可動式間仕切りパネルの側面図。
【図４】可動式間仕切りパネルの正面図。
【図５】ナットで突っ張り固定する可動式間仕切りパネルの側断面図。
【図６】可動式間仕切りパネル同士をＬ状に連結する状態を示す斜視図。
【図７】可動式間仕切りパネル同士を直線状に連結する状態を示す斜視図。
【符号の説明】
【００２９】
１    可動式間仕切りパネル
１ａ  平板部
１ｂ  滑り止め部材
１ｃ  高さ調節部材
２    可動式間仕切りパネル
３    可動式間仕切りパネル
４    可動式間仕切りパネル
５    可動式間仕切りパネル
６    可動式間仕切りパネル
７    可動式間仕切りパネル
８    可動式間仕切りパネル
８ａ  開口部
８ｂ  扉
９    可動式間仕切りパネル
１２  収納庫
１３  収納庫
１０６  連結金具
【図１】
2006037636.tif 000003
【図２】
2006037636.tif 000004
【図３】
2006037636.tif 000005
【図４】
2006037636.tif 000006
【図５】
2006037636.tif 000007
【図６】
2006037636.tif 000008
【図７】
2006037636.tif 000009